(57)【要約】【課題】強風雨時に下枠から雨水が室内に浸入することを確実に防止できる建具とする。【解決手段】枠体１の下部に、止水部２０ａと左右の取付部２０ｂを有した止水用アタッチメント２０を設け、この止水部２０ａを下枠１１を取付けた構造材１４に横止水材２３を介在して接し、前記取付部２０ｂを縦枠１２の室内側面１２ａに、前記横止水材２３と連続した縦止水材２４を介在して接すると共に、固定手段３０で着脱可能に取付け、止水用アタッチメント２０の止水部２０ａと構造材１４との間及び取付部２０ｂと縦枠１２との間をそれぞれ水密することで、強風雨時に雨水が下枠１１から室内に浸入することを確実に防止できる。【選択図】図２
2008231825.tif 000002
【特許請求の範囲】
【請求項１】
下枠を越えて雨水が室内に浸入することを防止する止水用アタッチメントを備えた建具であって、
前記止水用アタッチメントは、止水部と、その止水部の長手方向両端寄りの取付部を有し、
前記止水部の下面は、下枠を取付けた構造材に、横止水材を介在して接し、
前記取付部の室外側面が縦枠の室内側面に、前記横止水材と連続した縦止水材を介在して接すると共に、固定手段で着脱可能に取付けたことを特徴とする建具。
【請求項２】
横止水材の長手方向両端部に左右の縦止水材の下部を重ね合わせ、その各縦止水材の上部を左右の縦枠の室外側面に接するようにした請求項１記載の建具。
【請求項３】
上面の室内側と室外側が傾斜した横部材と、その横部材の長手方向両端部に取付けた縦部材で止水用アタッチメントとし、
前記横部材の下面を横止水材を介在して下枠を取付ける構造材に接し、
前記縦部材の室外側面を縦止水材を介在して縦枠の室内側面に接すると共に、固定手段で着脱可能に取付けた請求項１又は２記載の建具。
【請求項４】
横部材に設けた支持片を下枠に接して、当該横部材が室内側方向に動かないように支持した請求項３記載の建具。
【請求項５】
枠体に、取り外した止水用アタッチメントを保持するアタッチメント保持部を設けた請求項１〜４いずれか１項記載の建具。
【請求項６】
アタッチメント保持部は、左右の取付部を縦枠に固定する固定手段で左右の取付部を左右の縦枠に固定するものである請求項５記載の建具。
【発明の詳細な説明】
【技術分野】
【０００１】
本発明は、玄関引戸、玄関ドアなどの枠体に建具体を開閉自在に取付けた建具に関する。
【背景技術】
【０００２】
従来から玄関引戸などの建具においては、枠体の下枠を、室内側に立上り部を有した形状として、雨水が立上り部を越えて室内に浸入しないようにしている。
しかし、台風などの強風雨時には下枠の立上り部を越えて雨水が室内に浸入することがある。
このことを防止するには、下枠の立上り部を高くすれば良いが、下枠に高い立上り部を設けると人の出入りの際の障害となり、バリアフリーの観点から好ましくない。
【０００３】
そこで、特許文献１に開示したように、下枠の室内側に増縁部材を着脱自在に取付けた建具が知られている。
この建具であれば、強風雨時には下枠に増縁部材を取付けることで雨水が室内に浸入しないようにできるし、通常時には増縁部材を取り外して人の出入りの際に障害とならないようにできる。
【特許文献１】実公昭５８−５０１７号公報
【発明の開示】
【発明が解決しようとする課題】
【０００４】
前述した従来の建具においては、増縁部材が下枠を取付ける構造材にビスで固着してあるので、その増縁部材を取り外した状態で構造材にビスが螺合した跡が残り、見栄えが悪いし、構造材がコンクリート土間などの場合には増縁部材の固着が大変困難である。
また、増縁部材と下枠との間の水密性は考慮してあるが、その増縁部材と縦枠との間の水密は考慮されておらず、強風雨時に増縁部材と縦枠との間から雨水が室内に浸入することがあり、下枠に増縁部材を取付けても強風雨時に雨水が室内に浸入することを確実に防止できない。
【０００５】
本発明の目的は、強風雨時には下枠から雨水が室内に浸入することを確実に防止できるし、通常時には人がスムーズに通行でき、バリアフリーの観点から好ましいようにできる建具を提供することである。
【課題を解決するための手段】
【０００６】
本発明は、下枠を越えて雨水が室内に浸入することを防止する止水用アタッチメントを備えた建具であって、
前記止水用アタッチメントは、止水部と、その止水部の長手方向両端寄りの取付部を有し、
前記止水部の下面は、下枠を取付けた構造材に、横止水材を介在して接し、
前記取付部の室外側面が縦枠の室内側面に、前記横止水材と連続した縦止水材を介在して接すると共に、固定手段で着脱可能に取付けたことを特徴とする建具である。
【０００７】
本発明の建具においては、横止水材の長手方向両端部に左右の縦止水材の下部を重ね合わせ、その各縦止水材の上部を左右の縦枠の室外側面に接するようにすることができる。
このようにすれば、横止水材と左右の縦止水材が重ね合わせで連続するから、止水用アタッチメントと構造材、左右の縦枠との間を確実に水密できる。
【０００８】
本発明の建具においては、上面の室内側と室外側が傾斜した横部材と、その横部材の長手方向両端部に取付けた縦部材で止水用アタッチメントとし、
前記横部材の下面を横止水材を介在して下枠を取付ける構造材に接し、
前記縦部材の室外側面を縦止水材を介在して縦枠の室内側面に接すると共に、固定手段で着脱可能に取付けることができる。
このようであるから、止水用アタッチメントを取付けた状態で、人が通行する際に、横部材が通行の妨げになり難いと共に、車椅子でスムーズに通行できる。
また、縦部材は横部材と別部品であるから、その縦部材の室外側面を平坦面として縦枠の室外側に縦止水材を介在して接することができ、縦部材と縦枠との間を確実に水密できる。
【０００９】
本発明の建具においては、横部材に設けた支持片を下枠に接して、当該横部材が室内側方向に動かないように支持できる。
このようにすれば、縦部材が縦枠の室内側面に接して室外側方向に動かないように支持されていることと相俟って、止水用アタッチメントが室内外側方向に動かないように支持することができる。
【００１０】
本発明の建具においては、枠体に、取り外した止水用アタッチメントを保持するアタッチメント保持部を設けることができる。
このようにすれば、取り外したアタッチメントを枠体に保持できるから、その止水用アタッチメントを紛失することがないと共に、強風雨時には直ちに取付けることができる。
【００１１】
本発明の建具においては、前述したアタッチメント保持部は、左右の取付部を縦枠に固定する固定手段で左右の取付部を左右の縦枠に固定するものにできる。
このようにすれば止水用アタッチメントを取り外した時に不要となる固定手段を利用して止水用アタッチメントを枠体に保持できる。
【発明の効果】
【００１２】
本発明によれば、止水用アタッチメントの止水部と構造材との間、及び止水用アタッチメントの取付部と左右の縦枠との間が横水密材、縦止水材で確実に水密されているので、強風雨時に下枠から雨水が室内に浸入することを確実に防止できる。
また、止水用アタッチメントは枠体の左右の縦枠に固定して取付けてあるので、構造材がコンクリート土間であっても止水用アタッチメントを取付けできるし、取り外した状態で構造材に跡が残ることがなく、見栄えが良い。
また、止水用アタッチメントを取り外すことができるので、通常時には止水用アタッチメントを取り外して人がスムーズに通行できるから、バリアフリーの観点から好ましい。
【発明を実施するための最良の形態】
【００１３】
図１に示すように、枠体１に建具体２を開閉自在に取付けて建具としてある。
前記枠体１は上枠１０と下枠１１と左右の縦枠１２で方形状である。
この実施の形態では、建具体２は上枠１０、下枠１１の長手方向に沿って開閉移動自在に取付けられ、玄関引戸としてある。前記建具体２は、その上部が上枠１０に吊り戸車等で移動自在に吊り下げてあるので、図２に示すように建具体２の下部が下枠１１に取付けたガイドローラ１３で振れ動かないように支承してある。
前記下枠１１は、図２に示すように構造材１４に取付けてあると共に、その下枠１１は、室内側に立上り部１１ａを有している。
この立上り部１１ａが構造材１４の室内側部１４ａと略同一高さで、下枠１１の室外側部１１ｂは構造材１４の室外側部１４ｂと略同一高さである。
前記構造材１４の室内側部１４ａと室外側部１４ｂの高さの差は、バリアフリーを考慮して小さく、下枠１１の立上り部１１ａの高さは低いので、強風雨時に下枠１１上の雨水の水位が立上り部１１ａよりも高くなり、室内に浸入する恐れがある。
【００１４】
そこで、本発明は構造材１４の室内側部１４ａに止水用アタッチメント２０を設け、強風雨時に下枠１１上の雨水の水位が下枠１１の立上り部１１ａよりも高くなっても止水用アタッチメント２０で室内に雨水が浸入しないようにした。
前記止水用アタッチメント２０は止水部２０ａと、その止水部２０ａの長手方向両端寄りの左右の取付部２０ｂ，２０ｂを有している。
前記止水部２０ａは下枠１１に沿って左右の縦枠１２間に亘る長尺で、この止水部２０ａは構造材１４の室内側部１４ａよりも高く、強風雨時に立上り部１１ａを越えた雨水が室内に浸入することを防止するものである。
前記左右の取付部２０ｂは左右の縦枠１２に固定され、止水用アタッチメント２０を枠体１の下部に取付けるものである。
【００１５】
前記止水部２０ａの下面が横止水材２３を介して構造材１４の室内側部１４ａに接して止水部２０ａと構造材１４の室内側部１４ａとの間を水密している。
前記左右の取付部２０ｂの室外側面が縦止水材２４を介在して左右の縦枠１２の室内側面１２ａに接して取付部２０ｂと縦枠１２との間に水密していると共に、その左右の取付部２０ｂが固定手段３０で左右の縦枠１２にそれぞれ固定して着脱可能に取付けてある。
前記横止水材２３と縦止水材２４は連続している。例えば、横止水材２３と縦止水材２４が重なり合ったり、一体的な止水材としている。
【００１６】
このようであるから、止水用アタッチメント２０の止水部２０ａと構造材１４の室内側部１４ａとの間、及び止水用アタッチメント２０の取付部２０ｂと左右の縦枠１２との間が水密されているので、強風雨時に前述の間から雨水が室内に浸入することがなく、止水用アタッチメント２０を取付けることで強風雨時に雨水が下枠１１から室内に浸入することを確実に防止できる。
また、止水用アタッチメント２０は枠体１の左右の縦枠１２に固定して取付けてあるので、構造材１４がコンクリート土間であっても止水用アタッチメント２０を取付けできるし、取り外した状態で構造材１４に固定した跡が残ることがなく、見栄えが良い。
【００１７】
また、止水用アタッチメント２０を取り外すことができるので、通常時には止水用アタッチメント２０を取り外して人がスムーズに通行できるから、バリアフリーの観点から好ましい。
【００１８】
この実施の形態では、取り外した止水用アタッチメント２０を保持するアタッチメント保持部４０が枠体１に設けてある。
例えば、左右の縦枠１２の上部寄りに、前記固定手段３０で取付部２０ｂを固定できるようにし、止水部２０ａを上枠１０に沿って保持できるようにしてある。
このようであるから、取り外した止水用アタッチメント２０を紛失したりすることがないし、強風雨時には直ちに止水用アタッチメント２０を取付けできる。
【００１９】
前記止水用アタッチメント２０は、上面がほぼ山形状の横部材２１と、その横部材２１の長手方向両端部に取付けた左右の縦部材２２を有し、その横部材２１が止水部２０ａで、縦部材２２が取付部２０ｂである。
前記横部材２１の下面２１ａが横止水材２３で構造材１４の室内側部１４ａに接し、左右の縦部材２２の室外側面２２ａが縦止水材２４で左右の縦枠１２の室内側面１２ａに接し、その左右の縦部材２２が固定手段３０で左右の縦枠１２にそれぞれ固定して着脱可能に取付けてある。
前記横止水材２３と縦止水材２４は連続している。
【００２０】
このように、横部材２１と縦部材２２で止水用アタッチメント２０としたので、その横部材２１の上面をほぼ山形状として、その上面の室内側と室外側が傾斜させ、人の通行の妨げになり難く、車椅子でスムーズに通行できると共に、その縦部材２２の室外側面２２ａを平坦面として縦枠１２の室内側面１２ａに縦止水材２４を介在して接して確実に水密できる。
【００２１】
次に、各部の具体形状を説明する。
前記横部材２１は、底面板２１ｂと、室内側傾斜上面板２１ｃと中間上面板２１ｄと室外側傾斜上面板２１ｅとでほぼ山形状の上面板で中空部２１ｆを有した断面形状の長尺材で、その中間上面板２１ｄには凹陥部２１ｇが形成され、その凹陥部２１ｇに滑り止め２５が嵌合して取付けてある。
【００２２】
前記横部材２１の長手方向一部分には図１、図２に示すように支持片２１ｈが設けてあり、この支持片２１ｈが下枠１１に接することで横部材２１が室内側方向に動かないように支持している。
例えば、下枠１１の室内側寄りには滑り止め取付部１５が設けてあり、その滑り止め取付部１５に滑り止め１６が取付けてある。この滑り止め１６は前記横部材２１の滑り止め２５と同一部材としてある。
前記支持片２１ｈが滑り止め取付部１５の室外側面に接して横部材２１が室内側方向に動かないように支持している。
【００２３】
前記縦部材２２は横向部２２ｂと縦向部２２ｃでほぼＬ字形状で、その横向部２２ｂの端面２２ｄの形状は横部材２１の端面形状と略同一で、かつ横部材２１の中空部２１ｆに嵌合する連結用突起２２ｅが設けてある。
そして、前記連結用突起２２ｅを横部材２１の中空部２１ｆに嵌合することで横部材２１の長手方向端部に縦部材２２を連結して取付ける。
【００２４】
前記縦向部２２ｃが縦枠１２に固定手段３０で固定して取付けられる。
前記固定手段３０は、縦向部２２ｃに形成した第１孔３１と、縦枠１２の室内側縦板１２ｂに形成した第２孔３２と、固定具３３を備え、その固定具３３を第１孔３１から第２孔３２に押し込むことで縦向部２２ｃを縦枠１２に固定できるようにしてある。
例えば、固定具３３はテーパー部３３ａと軸部３３ｂと頭部３３ｃを備え、そのテーパー部３３ａはスリット３３ｄで弾性縮小変形できるようにし、そのテーパー部３３ａを第１孔３１から第２孔３２に押し込むことでテーパー部３３ａと頭部３３ｃで室内側縦板１２ｂと縦向部２２ｃを挟持して固定する。
なお、固定具３３はユリヤネジとしても良いし、一般のネジとしても良い。
前記縦向部２２ｃにはカバー２６が取付けられて固定具３３をカバーして見えないようにしてある。
【００２５】
前記横止水材２３と縦止水材２４は、シーラーと呼ばれるシート状で、その横止水材２３の長手方向端部寄りに縦止水材２４の下縁が一体的に連続している。
このようであるから、横部材２１と構造材１４の室内側部１４ａとの間、及び縦部材２２と縦枠１２の室内側面１２ａとの間を確実に水密できる。
なお横止水材２３の長手方向端部寄りに縦止水材２４の下部が重なり合い、その重なり合った部分に横向部２２ｂの底面が接し、その上部に縦向部２２ｃの裏面（縦部材２２の室外側面２２ａ）が接するようにしても良い。
【００２６】
前述の止水用アタッチメント２０は次のようにして取付けられる。
前記構造材１４の室内側部１４ａに横止水材２３を下枠１１に沿って左右の縦枠１２まで張り出すように取付け、縦止水材２４を縦枠１２の室内側面１２ａに接する。
横部材２１の長手方向両端部に左右の縦部材２２を連結した止水用アタッチメント２０を、前記横止水材２３と縦止水材２４に接して設け、第１孔３１から固定具３３を第２孔３２に押し込んで縦部材２２を縦枠１２に固定して取付ける。
【００２７】
前記アタッチメント保持部４０は、縦枠１２の上部寄りに前述の第２孔３２と同一の第３孔３４を形成したものとする。
このようにすれば、止水用アタッチメント２０を取り外した状態で、その止水用アタッチメント２０を上下反転することで、前記固定具３３を第１孔３１から第３孔３４に押し込むことで縦向部２２ｃを縦枠１２の上部に固定して保持できる。
なお上枠１０には前述の支持片２１ｈが入り込む開口部１７を形成する。
前記第２孔３２、第３孔３３の一方はキャップで閉塞する。
前記開口部１７もキャップで閉塞する。
【００２８】
前記固定手段３０の第２の実施の形態を図４に基づいて説明する。
前記縦部材２２（縦向部２２ｃ）に係合凹部３５を形成し、この係合凹部３５に係脱自在なフック３６を縦枠１２に取付け、そのフック３６を係合凹部３５に係合することで固定し、前記フック３６を上方に回動することで係合凹部３５から離脱して固定解除する。
このようにすれば、フック３６を上下に回動することで止水用アタッチメント２０を取付け、取り外しできるので、その操作が簡単である。
【００２９】
この固定手段３０の場合には、フック３６を縦枠１２の上部に取付けることでアタッチメント保持部４０とすることができる。
【００３０】
次に、固定手段３０の第３の実施の形態を図５に基づいて説明する。
前記縦部材２２（縦向部２２ａ）にフック３７を一体的に設け、縦枠１２にフック受け３８を取付ける。
前記フック３７の先端部３７ａをフック受け３８の凹部３８ａに強い力で押し込んで嵌合することで固定し、離脱することで取り外しできるようにする。
前記フック３７は斜めの下向きで、止水用アタッチメント２０を斜め下向きに押すことで先端部３７ａが凹部３８ａに嵌合するようにしてあるから、止水用アタッチメント２０を横止水材２３、縦止水材２４に押しつけて取付けできる。
【００３１】
前述の実施の形態では、支持片２１ｈを下枠１１の滑り止め取付部１５に接したが、滑り止め取付部１５を有しない下枠の場合には、下枠１１の任意の部分に接して室内側方向に動かないように支持できる。
例えば、図６に示すように、下枠１１の立上り部１１ａに支持片２１ｈを接して室内側方向に動かないように支持する。
この場合には、支持片２１ｈを横部材２１の長手方向全長に亘る長さとし、下枠１１の立上り部１１ａをカバーできるようにする。
【００３２】
以上の説明では、建具を玄関引戸としたが、玄関開き戸で良いし、人が出入りする引き違い窓であっても良い。
すなわち、人が出入りする建具であれば良い。
【図面の簡単な説明】
【００３３】
【図１】本発明の実施の形態を示す玄関引戸の内観図である。
【図２】図１のＡ−Ａ拡大詳細断面図である。
【図３】止水用アタッチメントの分解斜視図である。
【図４】固定手段の第２の実施の形態を示す縦断面図である。
【図５】固定手段の第３の実施の形態を示す縦断面図である。
【図６】下枠形状の異なる実施の形態を示す縦断面図である。
【符号の説明】
【００３４】
１…枠体、２…建具体、１０…上枠、１１…下枠、１１ａ…立上り部、１２…縦枠、１２ａ…室内側面、１４…構造材、２０…止水用アタッチメント、２０ａ…止水部、２０ｂ…取付部、２１…横部材、２２…縦部材、２３…横止水材、２４…縦止水材、３０…固着手段、４０…アタッチメント保持手段。
【図１】
2008231825.tif 000003
【図２】
2008231825.tif 000004
【図３】
2008231825.tif 000005
【図４】
2008231825.tif 000006
【図５】
2008231825.tif 000007
【図６】
2008231825.tif 000008